(57)【要約】【課題】  カード会社と金融機関を利用した金銭取引における個人の金銭取引決済をカード無で容易に行い、個人の金銭取引情報照会をペーパレス（電子データ）で容易に行う。【解決手段】  カード会社や銀行を利用した個人の金銭取引において、個人情報を管理センタの個人情報ＤＢに登録する手段と、管理センタの個人情報ＤＢから個人の利用機関（カード会社や銀行）を解析する手段と、小売店（ＰＯＳ端末）から個人の金銭取引情報を管理センタの金銭取引情報ＤＢに登録する手段と、カード会社や銀行の金銭取引情報を管理センタの金銭取引情報ＤＢに登録する手段と、管理センタの金銭取引情報ＤＢから個人の金銭取引情報を解析する手段を有する。【選択図】  図１
2005173750.tif 000002
【特許請求の範囲】
【請求項１】
利用者と取引きを行う取引先毎に設けられた複数の取引端末と前記取引端末それぞれとネットワークを介して接続された取引情報管理装置を利用して、取引に関する取引情報を管理する取引情報管理方法において、
前記利用者と取引を行った取引先の取引端末が、前記利用者の生体情報の入力を受け付けて、予め記憶された個人情報を用いて、前記利用者に対する認証を行い、前記認証により前記利用者が正当であると認証された場合、前記取引端末が、前記利用者との取引の内容を示す取引情報の入力を受け付けて、当該取引情報を記憶し、前記取引端末は、前記取引情報管理装置に、前記取引情報を送信し、前記取引情報管理装置は、前記複数の取引端末から送信される取引情報を、利用者毎に登録することを特徴とする取引情報管理方法。
【発明の詳細な説明】
【技術分野】
【０００１】
本発明は、コンピュータによる情報処理における、個人の金銭取引情報を統括して電子データ管理する機密保護機能に係り、個人の金銭取引情報を統括して電子データ提供する個人の収入支出管理方法に関する。
【背景技術】
【０００２】
従来、個人の金銭取引として、個人がカード会社や銀行と契約し、カード会社や銀行がカードを発行（郵送）し、個人が発行されたカードを使用して金銭取引決済を行い、カード会社や銀行が請求書(紙)を郵送し、個人が請求書の内容を収入支出管理台帳に転記する手段が一般的である。
【発明の開示】
【発明が解決しようとする課題】
【０００３】
カード会社や銀行を利用した電子決済において、個人がカード会社や銀行と契約し、カード会社や銀行がカードを発行（郵送）する必要があった。しかし、この方法では、個人の契約情報の種類に比例し、カードを発行する作業が増大し、個人が複数カードを管理（携帯）する必要があることと、不要なカードの廃棄（ごみ）が増大する事による環境汚染が問題であった。
【０００４】
又、カード会社や銀行の個人情報と金銭取引情報ＤＢから請求書（紙）を作成し、個人へ郵送する必要があった。しかし、この方法では、請求書（紙）の発行の数に比例し、個人が請求書の内容を管理する（請求書の内容を収入支出管理台帳に転記する）作業が増大する事と、不要な請求書（紙）の廃棄（ごみ）が増大する事による環境汚染が問題であった。
【０００５】
上述した問題点を解決する為には、従来の電子決済方法の手段では不十分であり、個人の金銭取引情報を統括管理し、個人の電子決済をカード無、請求書の電子化（ペーパレス）する必要がある。
【０００６】
本発明の目的は、上述した従来の問題点を解消し、個人が電子決済と収入支出管理を容易に行えると共に、環境問題を解決できる手段を提供する事を目的とする。
【課題を解決するための手段】
【０００７】
カード会社や銀行を利用した個人の金銭取引において、個人情報を管理センタの個人情報ＤＢに登録する手段と、管理センタの個人情報ＤＢから個人の利用機関（カード会社や銀行）を解析する手段と、小売店（ＰＯＳ端末）から個人の金銭取引情報を管理センタの金銭取引情報ＤＢに登録する手段と、カード会社や銀行の金銭取引情報を管理センタの金銭取引情報ＤＢに登録する手段と、管理センタの金銭取引情報ＤＢから個人の金銭取引情報を解析する手段を有する。
【発明の効果】
【０００８】
本発明によれば、個人のクレジット会社と銀行の金銭取引決済をカード無で容易に行えると共に、個人の金銭取引情報照会をペーパレスで環境に優しく容易に行う事が可能である。
【発明を実施するための最良の形態】
【０００９】
以下、本発明について図面を用いて説明する。
【００１０】
図１は、本発明の一実施形態を示す構成図である。図１の実施形態は、生体認証機器１、個人認証部２、センタ利用契約部３、小売店（ＰＯＳ端末）４、クレジット会社５、銀行６、金銭取引情報管理部７、金銭取引情報提供部８、端末９、管理センタの個人情報ＤＢ１００、管理センタの金銭取引情報ＤＢ２００、小売店の個人情報ＤＢ３００、小売店の金銭取引情報ＤＢ４００、クレジット会社の個人情報ＤＢ５００、クレジット会社の金銭取引情報ＤＢ６００、銀行の個人情報ＤＢ７００、銀行の金銭取引情報ＤＢ８００で構成されている。
【００１１】
図２は、管理センタの個人情報ＤＢ１００に格納されている情報の内容例を示す図で、図３は、管理センタの金銭取引情報ＤＢ２００に格納されている情報の内容例を示す図で、図４は、小売店の個人情報ＤＢ３００に格納されている情報の内容例を示す図で、図５は、小売店の金銭取引情報ＤＢ４００に格納されている情報の内容例を示す図で、図６は、クレジット会社の個人情報ＤＢ５００に格納されている情報の内容例を示す図で、図７は、クレジット会社の金銭取引情報ＤＢ６００に格納されている情報の内容例を示す図で、図８は、銀行の個人情報ＤＢ７００に格納されている情報の内容例を示す図で、図９は、銀行の金銭取引情報ＤＢ８００に格納されている情報の内容例を示す図である。
【００１２】
前記生体認証機器１は、個人の生体情報を入力に、生体情報暗号データを自動作成するものであり、生体情報暗号データを個人認証部２に送信するものである。
【００１３】
前記個人認証部２は、生体認証機器１から生体情報暗号データを取得し、生体情報暗号データを入力に、生体情報復号データを自動作成し、生体情報復号データに対し、管理センタの個人情報ＤＢ１００から個人ＩＤを解析するものであり、具体的な機能については、図１０を用いて更に詳しく説明する。
【００１４】
図１０は、生体認証機器１から生体情報暗号データを取得し、生体情報復号データ「１０１００００１・・・」を自動作成し、生体情報復号データ「１０１００００１・・・」に対し、管理センタの個人情報ＤＢ１００に格納されている個人ＩＤ「１１００００００」とパスワード「００００００１１」を取得する場合の例を示すものである。
【００１５】
先ず、ステップ２１で、生体認証機器１から生体情報暗号データを取得し、ステップ２２で、ステップ２１で取得した生体情報暗号データを入力に、生体情報復号データ「１０１００００１・・・」を自動作成し、ステップ２３で、ステップ２２で作成した生体情報復号データ「１０１００００１・・・」に対し、管理センタの個人情報ＤＢ１００に個人ＩＤとパスワードが格納されているか否かを判定し、ステップ２３の判定で、格納されていた場合、ステップ２４で、管理センタの個人情報ＤＢ１００の個人ＩＤ「１１００００００」とパスワード「００００００１１」を取得し、ステップ２５で、ステップ２４で取得した個人ＩＤ「１１００００００」とパスワード「００００００１１」を生体認証機器１に送信する。ステップ２６で、全ての個人ＩＤとパスワードの送信が終了したか否かを判定し、終了でない場合、ステップ２４からステップ２５を繰り返す。ステップ２７で、生体認証機器から１種類の個人ＩＤとパスワードを取得する。ステップ２３の判定で、格納されていなかった場合、ステップ２８で、メッセージ「センタ利用契約を行ってください」を生体認証機器１に送信し、ステップ２１で作成した生体情報復号データ「１０１００００１・・・」をセンタ利用契約部３に送信する。
【００１６】
前記センタ利用契約部３は、個人認証部２から生体情報復号データと個人ＩＤとパスワードを取得し、生体情報復号データと個人ＩＤとパスワードを管理センタの個人情報ＤＢ１００に自動登録するものである。具体的な機能については、図１１を用いて更に詳しく説明する。
【００１７】
図１１は、個人認証部２から生体情報復号データ「１０１００００１・・・」と個人ＩＤ「２１００００００」とパスワード「００００００１２」を管理センタの個人情報ＤＢ１００に自動登録する場合の例と、現金決済用の個人ＩＤ「９１００００００」を自動作成し、生体情報復号データ「１０１００００１・・・」と個人ＩＤ「９１００００００」を管理センタの個人情報ＤＢ１００に自動登録する場合の例を示すものである。
【００１８】
先ず、ステップ３１で、個人認証部２から生体情報復号データ「１０１００００１・・・」と個人ＩＤ「２１００００００」とパスワード「００００００１２」を取得し、ステップ３２で、クレジット決済契約か現金決済契約かを判定し、ステップ３２の判定で、クレジット決済契約の場合、ステップ３１で取得した生体情報復号データ「１０１００００１・・・」と個人ＩＤ「２１００００００」とパスワード「００００００１２」を管理センタの個人情報ＤＢ１００に自動登録する。ステップ３２の判定で、現金決済契約の場合、ステップ３４で、現金決済用の個人ＩＤ「９１００００００」を自動作成し、ステップ３５で、ステップ３１で取得した生体情報復号データ「１０１００００１・・・」と、ステップ３４で作成した個人ＩＤ「９１００００００」を管理センタの個人情報ＤＢ１００に自動登録する。ステップ３６で、全ての個人ＩＤの登録が終了したか否かを判定し、終了でない場合、ステップ３３を繰り返す。
【００１９】
前記小売店（ＰＯＳ端末）４は、生体認証機器１の個人ＩＤとパスワードを入力に、小売店の個人情報ＤＢ３００の個人ＩＤとパスワードを解析するものであり、取引ＩＤと取引年月日と商品名と預入金額（円）と支出金額（円）を自動作成し、小売店の金銭取引情報ＤＢ４００に自動登録するものであり、小売店の金銭取引情報ＤＢ４００の取引ＩＤと取引年月日と商品名と預入金額（円）と支出金額（円）を金銭取引情報管理部７に送信するものである。具体的な機能については、図１２を用いて更に詳しく説明する。
【００２０】
図１２は、生体認証機器１から管理センタの個人情報ＤＢ１００の個人ＩＤ「１１００００００」とパスワード「００００００１１」を取得し、小売店の個人情報ＤＢ３００を解析する例と、個人ＩＤ「１１００００００」に対し、取引ＩＤ「１１０００００１」と取引年月日「２００１／０６／１６」と商品名「ＣＤレンタル」と預入金額（円）「０」と支出金額（円）「１，０００」を付加し、小売店の金銭取引情報ＤＢ４００に自動登録
する場合の例と、個人ＩＤ「１１００００００」と取引ＩＤ「１１０００００１」と取引年月日「２００１／０６／１６」と商品名「ＣＤレンタル」と預入金額（円）「０」と支出金額（円）「１，０００」を金銭取引情報管理部７に送信する例を示すものである。
【００２１】
先ず、ステップ４１で、生体認証機器１から個人ＩＤ「１１００００００」とパスワード「００００００１１」を取得し、ステップ４２で、ステップ４１で取得した個人ＩＤ「１１００００００」とパスワード「００００００１１」が、小売店の個人情報ＤＢ３００に存在するか否かを判定し、ステップ４２の判定で、存在した場合、ステップ４３で、ステップ４１で取得した個人ＩＤ「１１００００００」に対し、取引ＩＤ「１１０００００１」と取引年月日「２００１／０６／１６」と商品名「ＣＤレンタル」と預入金額（円）「０」と支出金額（円）「１，０００」を付加し、ステップ４４で、個人ＩＤ「１１００００００」と取引ＩＤ「１１０００００１」と取引年月日「２００１／０６／１６」と商品名「ＣＤレンタル」と預入金額（円）「０」と支出金額（円）「１，０００」を小売店の金銭取引情報ＤＢ４００に自動登録し、ステップ４５で、小売店の金銭取引情報ＤＢ４００の個人ＩＤ「１１００００００」と取引ＩＤ「１１０００００１」と取引年月日「２００１／０６／１６」と商品名「ＣＤレンタル」と預入金額（円）「０」と支出金額（円）「１，０００」を金銭取引情報管理部７に送信し、ステップ４２の判定で、存在しなかった場合、ステップ４６で、個人ＩＤ「１１００００００」を金銭取引情報管理部７に送信する。ステップ４７で、１つの個人ＩＤに対して、全ての金銭取引情報が登録されたか否かを判定し、登録されていない場合は、ステップ４３からステップ４５を繰り返す。
【００２２】
前記クレジット会社５は、生体認証機器１の個人ＩＤとパスワードを入力に、クレジット会社の個人情報ＤＢ５００の個人ＩＤとパスワードを解析するものであり、取引ＩＤと取引年月日と商品名と預入金額（円）と支出金額（円）を自動作成し、クレジット会社の金銭取引情報ＤＢ６００に自動登録するものであり、クレジット会社の金銭取引情報ＤＢ６００の取引ＩＤと取引年月日と商品名と預入金額（円）と支出金額（円）を金銭取引情報管理部７に送信するものである。
【００２３】
前記銀行６は、生体認証機器１の個人ＩＤとパスワードを入力に、銀行の個人情報ＤＢ７００の個人ＩＤとパスワードを解析するものであり、取引ＩＤと取引年月日と商品名と預入金額（円）と支出金額（円）を自動作成し、銀行の金銭取引情報ＤＢ８００に自動登録するものであり、銀行の金銭取引情報ＤＢ８００の取引ＩＤと取引年月日と商品名と預入金額（円）と支出金額（円）を金銭取引情報管理部７に送信するものである。
【００２４】
前記金銭取引情報管理部７は、小売店（ＰＯＳ端末）４から個人ＩＤ「１１００００００」と取引ＩＤ「１１０００００１」と取引年月日「２００１／０６／１６」と商品名「ＣＤレンタル」と預入金額（円）「０」と支出金額（円）「１，０００」を取得し、取引ＩＤ「１１０００００１」に対し、ポイント「１０」を付加し、管理センタの金銭取引情報ＤＢ２００に自動登録するものであり、クレジット会社５から個人ＩＤ「２１００００００」と取引ＩＤ「２１０００００１」と取引年月日「２００１／０５／０１」と商品名「婦人服」と預入金額（円）「０」と支出金額（円）「１０，０００」を取得し、取引ＩＤ「２１０００００１」に対し、ポイント「１００」を付加し、管理センタの金銭取引情報ＤＢ２００に自動登録するものであり、銀行６から個人ＩＤ「３２００００００」と取引ＩＤ「３２０００００１」と取引年月日「２００１／０５／１５」と商品名「電気代」と預入金額（円）「０」と支出金額（円）「５，０００」を取得し、取引ＩＤ「３２００００１」に対し、ポイント「５０」を付加し、管理センタの金銭取引情報ＤＢ２００に自動登録するものである。
【００２５】
前記金銭取引情報提供部８は、個人認証部２の生体情報復号データを入力に、管理センタの金銭取引情報ＤＢ２００から取引ＩＤと取引年月日と商品名と預入金額（円）と支出金額（円）とポイント数を解析するものであり、具体的な機能については、図１３を用いて更に詳しく説明する。
【００２６】
図１３は、個人認証部２から生体情報復号データ「１０１００００１・・・」を取得し、生体情報復号データ「１０１００００１・・・」に対し、管理センタから金銭取引情報ＤＢ２００の取引ＩＤ「１１０００００１」と取引年月日「２００１／０６／１６」と商品名「ＣＤレンタル」と、預入金額（円）「０」と支出金額（円）「１，０００」とポイント「１０」を取得する場合の例を示すものである。
【００２７】
先ず、ステップ８１で、個人認証部２から生体情報復号データ「１０１００００１・・・」を取得し、ステップ８２で、ステップ８１で取得した生体情報復号データ「１０１００００１・・・」が、管理センタの金銭取引情報ＤＢ２００に存在するか否かを判定し、ステップ８２の判定で、存在した場合、ステップ８３で、ステップ８１で取得した生体情報復号データ「１０１００００１・・・」に対し、管理センタの金銭取引情報ＤＢ２００から取引ＩＤ「１１０００００１」と取引年月日「２００１／０６／１６」と商品名「ＣＤレンタル」と預入金額（円）「０」と支出金額（円）「１，０００」とポイント数「１０」を取得し、ステップ８４で、取引ＩＤ「１１０００００１」と取引年月日「２００１／０６／１６」と商品名「ＣＤレンタル」と預入金額（円）「０」と支出金額（円）「１，０００」とポイント数「１０」を端末９に送信する。ステップ８５で、１つの生体情報復号データに対して、全ての取引ＩＤが取得されたか否かを判定し、取得されていない場合は、ステップ８３からステップ８４を繰り返す。
【００２８】
前記端末９は、金銭取引情報提供部８の取引ＩＤと取引年月日と商品名と預入金額（円）と支出金額（円）とポイント数を取得し、表示するものである。
【図面の簡単な説明】
【００２９】
【図１】本発明の一実施例の概要構成を示すブロック図である。
【図２】図１の実施例の管理センタの個人情報ＤＢに格納されている情報の例を示す図である。
【図３】図１の実施例の管理センタの金銭取引情報ＤＢに格納されている情報の例を示す図である。
【図４】図１の実施例の小売店（ＰＯＳ端末）の個人情報ＤＢに格納されている情報の例を示す図である。
【図５】図１の実施例の小売店（ＰＯＳ端末）の金銭取引情報ＤＢに格納されている情報の例を示す図である。
【図６】図１の実施例のクレジット会社の個人情報ＤＢに格納されている情報の例を示す図である。
【図７】図１の実施例のクレジット会社の金銭取引情報ＤＢに格納されている情報の例を示す図である。
【図８】図１の実施例の銀行の個人情報ＤＢに格納されている情報の例を示す図である。
【図９】図１の実施例の銀行の金銭取引情報ＤＢに格納されている情報の例を示す図である。
【図１０】図１の実施例の個人認証部の動作を説明する図である。
【図１１】図１の実施例のセンタ利用契約部の動作を説明する図である。
【図１２】図１の実施例の小売店（ＰＯＳ端末）の動作を説明する図である。
【図１３】図１の実施例の金銭取引情報提供部の動作を説明する図である。
【符号の説明】
【００３０】
１…生体認証機器、２…管理センタの個人認証部、３…管理センタのセンタ利用契約部、４…小売店（ＰＯＳ端末）、５…クレジット会社、６…銀行、７…管理センタの金銭取引情報管理部、８…管理センタの金銭取引情報提供部、９…端末、１００…管理センタの個人情報ＤＢ、２００…管理センタの金銭取引情報ＤＢ、３００…小売店（ＰＯＳ端末）の個人情報ＤＢ、４００…小売店（ＰＯＳ端末）の金銭取引情報ＤＢ、５００…クレジット会社の個人情報ＤＢ、６００…クレジット会社の金銭取引情報ＤＢ、７００…銀行の個人情報ＤＢ、８００…銀行の金銭取引情報ＤＢ。
【図１】
2005173750.tif 000003
【図２】
2005173750.tif 000004
【図３】
2005173750.tif 000005
【図４】
2005173750.tif 000006
【図５】
2005173750.tif 000007
【図６】
2005173750.tif 000008
【図７】
2005173750.tif 000009
【図８】
2005173750.tif 000010
【図９】
2005173750.tif 000011
【図１０】
2005173750.tif 000012
【図１１】
2005173750.tif 000013
【図１２】
2005173750.tif 000014
【図１３】
2005173750.tif 000015